【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】  複数のチャネルを処理する方法であって、
前記複数のチャネルからチャネルを選択するステップ（２０２）と、
前記選択されたチャネルに関連する信号を受信するステップと、
前記選択されたチャネルの中間周波数が、ディジタル信号の公称周波数に類似していることに応じて、前記選択されたチャネルをディジタル信号としてマークするステップと、
前記選択されたチャネルの中間周波数が、アナログ信号の公称周波数に類似していることに応じて、前記選択されたチャネルをアナログ信号としてマークするステップ（２０６）と、
前記選択されたチャネルに関連する情報を記憶するステップと、
前記複数のチャネルのそれぞれが選択されるまで、前記選択ステップ，前記受信ステップ，前記ディジタルチャネルマークステップ，前記アナログチャネルマークステップ、および前記記憶ステップを繰り返すステップ（２１２）と
を含むことを特徴とする方法。
【請求項２】  前記選択されたチャネルに関連する前記情報が、メモリユニット（１１６）に記憶されることを特徴とする請求項１に記載の方法。
【請求項３】  前記ディジタルチャネルマークステップは、
前記受信信号がディジタルベースバンド信号であることを決定するステップ（２０３）と、
前記受信信号から同期信号および誤り検査信号を受け取るステップ（４０６、４１２）と、
生成された前記同期信号および前記誤り検査信号がディジタルテレビジョン信号に適切であるか否かを判定するステップ（４１６、４１８、４２０）と、
前記同期信号および前記誤り検査信号が適切な場合には、前記選択されたチャネルをディジタルとしてマークするステップ（４２４）と
を含むことを特徴とする請求項１に記載の方法。
【請求項４】  前記同期信号は、キャリアロック信号およびセグメントロック信号（４０６、４１６）を含むことを特徴とする請求項３に記載の方法。
【請求項５】  前記誤り検査信号は、順方向誤り訂正（ＦＥＣ）信号およびリードソロモン誤り率信号（４１８、４２０）を含むことを特徴とする請求項３に記載の方法。
【請求項６】  前記アナログチャネルマークステップは、
前記受信信号がアナログベースバンド信号であることを決定するステップ（３０７）と、
前記アナログベースバンド信号のビデオ搬送波が自動微調整されるか否かを判定するステップ（３１２、３１８）と、
ビデオ同期信号が検出されるか否かを判定するステップ（３２２）と、
前記ビデオ搬送波が自動微調整され、前記ビデオ同期信号が検出された場合は、前記チャネルをアナログとしてマークするステップ（２０８）と
を含むことを特徴とする請求項１に記載の方法。
【請求項７】  前記ビデオ同期信号は、垂直同期信号および水平同期信号を有するコンポジットＳＹＮＣ信号であることを特徴とする請求項６に記載の方法。
【請求項８】  複数のチャネルに関連する情報を自動的にプログラミングする装置であって、
前記複数のチャネルのそれぞれに関連する無線周波（ＲＦ）信号を中間周波（ＩＦ）信号に変換するチューナ（１０２）と、
前記チューナに結合され、前記ＩＦ信号をベースバンドディジタル信号に復調し、前記ベースバンドディジタル信号から同期信号および誤り訂正信号を生成するディジタル信号コンバータ（１２６）と、
前記チューナに結合され、前記ＩＦ信号をベースバンドアナログ信号に復調し、前記ベースバンドアナログ信号から同調信号および同期信号を生成するアナログ信号コンバータ（１２８）と、
前記ディジタル信号コンバータおよび前記アナログ信号コンバータに結合され、出力デバイスへの前記ベースバンドディジタル信号および前記ベースバンドアナログ信号のビデオ成分およびオーディオ成分を処理するビデオプロセッサ（１１８）と、
自動プログラミングソフトウェア、および、前記複数のチャネルのそれぞれに関連する情報を記憶するメモリユニット（１１６）と、
前記ディジタル信号コンバータ，前記アナログ信号コンバータ，前記チューナ、および、前記メモリユニットに結合され、前記チューナを制御し、前記アナログ信号コンバータおよび前記ディジタル信号コンバータから信号を受け取り、自動プログラミングソフトウェアを実行し、前記選択されたチャネルの中間周波数がディジタル信号の公称周波数に類似していることに応じて前記受信信号をディジタル信号としてマークし、前記選択されたチャネルの中間周波数がアナログ信号の公称周波数に類似していることに応じて前記受信信号をアナログ信号としてマークし、前記複数のチャネルのそれぞれに関するチャネルタイプについての情報を前記メモリユニットに記憶するマイクロプロセッサと
を具備したことを特徴とする装置。
【請求項９】  前記ディジタル信号コンバータは、
前記ＩＦ信号をディジタルベースバンド信号に復調し、同期信号を生成するディジタル復調器（１０４）と、
前記ディジタル復調器に結合され、誤り訂正信号を生成する順方向誤り訂正（ＦＥＣ）モジュール（１０６）と、
前記ＦＥＣモジュールに結合され、前記ディジタルベースバンド信号をビデオ成分とオーディオ成分に分離するディジタル信号プロセッサ（１０８）と
を有することを特徴とする請求項８に記載の装置。
【請求項１０】  前記アナログ信号コンバータは、
前記ＩＦ信号をアナログベースバンド信号に復調し、同調信号を生成するアナログ復調器（１１０）と、
前記アナログ復調器に結合され、ビデオ同期信号を生成し、前記アナログベースバンド信号をビデオ成分とオーディオ成分に分離するアナログ信号プロセッサ（１１２）と
を有することを特徴とする請求項８に記載の装置。
【請求項１１】  前記マイクロプロセッサは、前記メモリユニットに記憶されている自動プログラミングソフトウェアを実行することによって前記チャネルタイプを決定することを特徴とする請求項８に記載の装置。
【請求項１２】  前記同期信号は、キャリアロック信号およびセグメントロック信号を含むことを特徴とする請求項８に記載の装置。
【請求項１３】  前記誤り訂正信号は、ＦＥＣロック信号およびリードソロモン誤り率信号を含むことを特徴とする請求項８に記載の装置。
【請求項１４】  ソフトウェアプログラムを記憶したコンピュータ可読媒体であって、前記ソフトウェアプログラムは、コンピュータによって実行されたとき、
複数のチャネルからチャネルを選択するステップ（２０２）、
前記選択されたチャネルに関連する信号を受信するステップ、
前記選択されたチャネルの中間周波数が、ディジタル信号の公称周波数に類似していることに応じて、前記選択されたチャネルをディジタル信号としてマークするステップ、
前記選択されたチャネルの中間周波数が、アナログ信号の公称周波数に類似していることに応じて、前記選択されたチャネルをアナログ信号としてマークするステップ（２０６）、
前記選択されたチャネルに関連する情報を記憶するステップ、および、
前記複数のチャネルのそれぞれが選択されるまで、前記選択ステップ，前記受信ステップ，前記ディジタルチャネルマークステップ，前記アナログチャネルマークステップ、および前記記憶ステップを繰り返すステップ（２１２）
を特徴とする方法を、前記コンピュータに実行させることを特徴とするコンピュータ可読媒体。
【請求項１５】  前記ディジタルチャネルマークステップは、
前記受信信号がディジタルベースバンド信号であることを決定するステップ（２０３）と、
前記受信信号から同期信号および誤り検査信号を受け取るステップ（４０６、４１２）と、
生成された前記同期信号および前記誤り検査信号がディジタルテレビジョン信号に適切であるか否かを判定するステップ（４１６、４１８、４２０）と、
前記同期信号および前記誤り検査信号が適切な場合には、前記選択されたチャネルをディジタルとしてマークするステップ（４２４）と
を含むことを特徴とする請求項１４に記載のコンピュータ可読媒体。
【請求項１６】  前記アナログチャネルマークステップは、
前記受信信号がアナログベースバンド信号であることを決定するステップ（３０７）と、
前記アナログベースバンド信号のビデオ搬送波が自動微調整されるか否かを判定するステップ（３１２、３１８）と、
ビデオ同期信号が検出されるか否かを判定するステップ（３２２）と、
前記ビデオ搬送波が自動微調整され、前記ビデオ同期信号が検出された場合は、前記チャネルをアナログとしてマークするステップ（２０８）と
を含むことを特徴とする請求項１４に記載のコンピュータ可読媒体。
【請求項１７】  ＳＹＮＣ信号が検出されない場合は、前記選択されたチャネルがエアーチャネルであるか有線チャネルであるかを判定するステップ（３１６）と、
前記選択されたチャネルが前記エアーチャネルであると判定された場合は、前記選択されたチャネルはアナログチャネルでもディジタルチャネルでもないと決定するステップ（２１０）と、
前記選択されたチャネルが前記有線チャネルである場合は、前記選択されたチャネルはディジタルチャネルであると決定するステップ（３２４）と
をさらに含むことを特徴とする請求項１に記載の方法。
【請求項１８】  前記方法は、
ＳＹＮＣ信号が検出されない場合は、前記選択されたチャネルがエアーチャネルであるか有線チャネルであるかを判定するステップ（３１６）と、
前記選択されたチャネルが前記エアーチャネルであると判定された場合は、前記選択されたチャネルはアナログチャネルでもディジタルチャネルでもないとマークするステップ（２１０）と、
前記選択されたチャネルが前記有線チャネルである場合は、前記選択されたチャネルはディジタルチャネルであるとマークするステップ（３２４）と
をさらに含むことを特徴とする請求項１４に記載のコンピュータ可読媒体。